(57)【要約】
【課題】  アルバム頁を展開する時、平らになる効果がある一種のアルバム頁の改良構造を提供する。
【解決手段】  若干のインナー頁１、および補強板２からなり、そのインナー頁１とは薄くて軟らかい撓み性があって曲げられるものであり、展開されると適当な幅があり、インナー頁１の正面に頁紙１１を接合し、中央に折畳縁１２を押付けて設け、補強板２はインナー頁１より厚く、曲げ難く適当な強度を持ち、幅がインナー頁１を向い合わせに折畳んだ幅より少し小さいものであり、インナー頁１の裏は端部１３、１４を其々両補強板２の一側と貼り合わせて一枚のアルバム頁を組み立て、インナー頁１の中央にその折畳縁１２の位置と対応する両補強板２の間に適当な隙間３を持たせ、その補強板２のもう一側をもう一枚のインナー頁１の裏と貼り合わせるようにしてから順にアルバムを組み立てていくアルバム頁の構造である。
【選択図】    図１
0003101479.tif 000002
【実用新案登録請求の範囲】
【請求項１】
若干のインナー頁、および補強板からなり、そのインナー頁は薄くて軟らかい撓み性があって曲げられるものであり、且つ展開されると適当な幅があり、インナー頁の正面に頁紙を接合し、中央に折畳縁を押付けて設け、補強板はインナー頁より厚く、且つ曲げ難く適当な強度を持ち、幅がインナー頁を向い合わせに折畳んだ幅より少し小さいものであり、インナー頁の裏は端部を其々両補強板の一側と貼り合わせて一枚のアルバム頁を組み立て、インナー頁の中央にその折畳縁の位置と対応する両補強板の間に適当な隙間を持たせ、その補強板のもう一側をもう一枚のインナー頁の裏と貼り合わられ、順にアルバムを組み立てていくことによりインナー頁は補強板の支えによってより優れた強度を有し、且つそのインナー頁の折畳縁は軟らかいためにめくり折りやすく、また上層のアルバム頁は展開された時にその補強板が下層のアルバム頁の補強板を押え当てなく、且つ展開されると頁が平らになることを特徴とするアルバム頁の構造の改良。
【考案の詳細な説明】
【技術分野】
【０００１】
本考案は、一種のアルバム頁の構造の改良に関するものである。
【背景技術】
【０００２】
従来のアルバムには多種の違った形式がある。図面６、７に示すのは従来の製品の構造の一つであり、主としては若干の適当な硬度を持つ内層紙１’、底層紙２’からなり、またその内層紙１’、底層紙２’の厚さは約０．４〜０．６ｍｍであり、そして内層紙１’を底層紙２’に設けてから中間に機具で溝を押付けて折畳縁１１’、２１’を造って、一枚のアルバム頁になるように貼り合せ、且つ向い合わせに折畳むと其々折畳んだアルバム頁をアルバムになるように貼り合わせる（図面８に示すように）。
【０００３】
しかし図面８に示すように、上層のアルバム頁を展開すると、その上層アルバム頁の底層紙２’の折畳縁２１’はその下層のアルバム頁の折畳縁２１’を押さえ当てるために上、下層のアルバム頁は外側の端部が上に上がって平らにならないという欠点をもたらし、且つ写真を観賞するときの便利さおよび美しさは大幅に低下する。
【考案の開示】
【考案が解決しようとする課題】
【０００４】
よって本考案の目的は、アルバム頁を展開するときに平らになる効果がある一種のアルバム頁の改良構造を提供することである。
【課題を解決するための手段】
【０００５】
上記課題を解決するための本考案のアルバム頁の構造は、若干のインナー頁、および補強板からなり、そのインナー頁とは薄くて軟らかい撓み性があって曲げられるものであり、且つ展開されると適当な幅があり、インナー頁の正面に頁紙を接合し、中央に折畳縁を押付けて設け、補強板はインナー頁より厚く、且つ曲げ難く適当な強度を持ち、幅がインナー頁を向い合わせに折畳んだ幅より少し小さいものであり、インナー頁の裏は端部を其々両補強板の一側と貼り合わせて一枚のアルバム頁を組み立て、インナー頁の中央にその折畳縁の位置と対応する両補強板の間に適当な隙間を持たせ、その補強板のもう一側をもう一枚のインナー頁の裏と貼り合わせるようにしてから順にアルバムを組み立てていくことによりインナー頁は補強板の支えによってより優れた強度を持つことが可能であり、且つそのインナー頁の折畳縁は軟らかいためにめくり折りやすく、また上層のアルバム頁は展開されたときにその補強板が下層のアルバム頁の補強板を押さえ当てないために上、下層のアルバム頁が押さえ当てられることにより上へ上がることを防止でき、且つ展開されると頁が平らになる効果がある。
【考案を実施するための最良の形態】
【０００６】
図面１〜４を参考する。本考案の一実施例によるアルバム頁の構造は、若干のインナー頁１、および補強板２からなり、そのインナー頁１はより薄い紙層であってもよく、軟らかい撓み性および曲げられる性能があり、且つ展開されると適当な幅を持ち、またインナー頁１の正面に頁紙１１を接合し、且つ折畳縁１２を押付けて設ける。
【０００７】
補強板２はインナー頁１より厚く、且つ曲げにくいように適当な強度を持ち、幅ａがインナー頁１を向い合わせに折畳んだ幅ｂより少し小さく、インナー頁１の裏は端部１３、１４を其々両補強板２の一側と貼り合せて一枚のアルバム頁になり、且つインナー頁１の中央においてその折畳縁１２の位置と対応する両補強板２の間に適当な隙間３があり、またその補強板２のもう一側をもう一枚のインナー頁１の裏と貼り合せて順にアルバムを組み立てていく。
そして本実施例を組み立てた後、インナー頁１は補強板２によってより優れた強度を持つことができ、且つインナー頁１の折畳縁１２が軟らかいためにめくり折りやすくなる。
【０００８】
図面５を参考する。本実施例では上層のアルバム頁が展開されるとその補強板２は下層のアルバム頁の補強板２との間に適当な隙間があるために互いに押さえ当てなくなるので、上、下層のアルバム頁が押さえ当てられて上に上がることを防止でき、且つ展開されると平らになる効果を持つようになるので、使用者はインナー頁１に貼り付けた頁紙１１を見やすくなる。
【０００９】
よって、以上に述べられたように、本考案の構造は次のような特徴を持つ。
インナー頁は軟らかさおよびより優れた撓み性があるために軟らかい折畳縁１２をめくり折りやすい。
また、展開されると上層のアルバム頁は下層のアルバム頁を押さえ当てないので展開したとき平らになる効果が得られる。
【図面の簡単な説明】
【００１０】
【図１】本考案の一実施例によるアルバム頁の構造のインナー頁、補強板を示す分解斜視図である。
【図２】本考案の一実施例によるアルバム頁の構造のインナー頁、補強板を組み合せている状態を示す側面図である。
【図３】本考案の一実施例によるアルバム頁の構造のインナー頁、補強板を組み合せた状態を示す側面図である。
【図４】本考案の一実施例によるアルバム頁の構造を示す側面図である。
【図５】本考案の一実施例によるアルバム頁の構造の上層アルバム頁を平らに展開した状態を示す側面図である。
【図６】従来の製品の分解斜視図である。
【図７】従来の製品のアルバム頁を示す側面図である。
【図８】従来の製品のアルバムを組み合せた状態および展開した状態を示す側面図である。
【符号の説明】
【００１１】
１  インナー頁、１１  頁紙、１２  折畳縁、１３  端部、１４  端部、２  補強板、３  隙間
【図１】
0003101479.tif 000003
【図２】
0003101479.tif 000004
【図３】
0003101479.tif 000005
【図４】
0003101479.tif 000006
【図５】
0003101479.tif 000007
【図６】
0003101479.tif 000008
【図７】
0003101479.tif 000009
【図８】
0003101479.tif 000010
【手続補正書】
【提出日】平成15年12月4日(2003.12.4)
【手続補正１】
【補正対象書類名】実用新案登録請求の範囲
【補正対象項目名】請求項１
【補正方法】変更
【補正の内容】
【請求項１】
若干のインナー頁、および補強板からなり、そのインナー頁は薄くて軟らかい撓み性があって曲げられるものであり、且つ展開されると適当な幅があり、インナー頁の正面に頁紙を接合し、中央に折畳縁を押付けて設け、補強板はインナー頁より厚く、且つ曲げ難く適当な強度を持ち、幅がインナー頁を向い合わせに折畳んだ幅より少し小さいものであり、インナー頁の裏は端部を其々両補強板の一側と貼り合わせて一枚のアルバム頁を組み立て、インナー頁の中央にその折畳縁の位置と対応する両補強板の間に適当な隙間を持たせ、その補強板のもう一側をもう一枚のインナー頁の裏と貼り合わられ、順にアルバムを組み立てていくことによりインナー頁は補強板の支えによってより優れた強度を有し、且つそのインナー頁の折畳縁は軟らかいためにめくり折りやすく、また上層のアルバム頁は展開された時にその補強板が下層のアルバム頁の補強板を押え当てなく、且つ展開されると頁が平らになることを特徴とするアルバム頁の構造。